(57)【要約】【課題】  ベッド装置の上部フレームを傾ける際の左右及び前後へのガタつきを簡単な構成で防止してスムーズに上部フレームを傾動させることができるベッド装置を提供する。【解決手段】  上部フレームの下方には、頭側及び足側それぞれに昇降機構が設けられ、前記頭側及び足側それぞれの昇降機構同士が連結され、頭側及び足側のうちの第１の昇降機構が該上部フレームにヒンジ結合され、頭側及び足側のうちの第２の昇降機構の昇降動を伝える伝達部材と、昇降時に昇降機構に対しての上部フレームの左右動を規制しかつ前後動を所定に誘導するガイド機構とを設けたことを特徴とするベッド装置。【選択図】図３
2014204896.tif 000002
【特許請求の範囲】
【請求項１】
ボトムを支える上部フレームが設けられベッド装置において、
前記上部フレームの下方には、頭側及び足側それぞれに昇降機構が設けられ、
前記頭側及び足側それぞれの昇降機構同士が連結され、
頭側及び足側のうちの第１の昇降機構が前記上部フレームにヒンジ結合され、
頭側及び足側のうちの第２の昇降機構の昇降動を前記上部フレームに伝える伝達部材と、昇降時に昇降機構に対しての前記上部フレームの左右動を規制しかつ前後動を所定に誘導するガイド機構とを設けたことを特徴とするベッド装置。
【請求項２】
ガイド機構は、ガイド部材と転接部材を有しており、
前記ガイド部材は、前記上部フレームに幅方向に対で設けられ、開口方向が前記上部フレームの幅方向に沿いかつ互に反対方向に開口する凹所が形成された弧状を呈したものであり、
前記転接部材は、第１のローラ及び該ローラを軸支する第１の固定アームからなり、前記ガイド部材の凹所内に前記第１のローラを位置させ、第１の固定アームが第２の昇降機構の上部に固定されたものであることを特徴とする請求項１に記載のベッド装置。
【請求項３】
前記伝達部材は、第２のローラ及び該第２のローラを軸支する第２の固定アームを有して、第２の固定アームが第２の昇降機構に固定され、前記第２のローラが上部フレーム側に固定された被押圧部に転接しており、
第２の昇降機構の昇降によって、前記伝達部材の第２のローラが被押圧部を介して上部フレームを昇降作動させることを特徴とする請求項１又は２に記載のベッド装置。
【発明の詳細な説明】
【技術分野】
【０００１】
本発明は、ベッド装置において、頭側と足側に昇降機構を備えて上部フレームが傾動動作可能にしたベッド装置に関する。
【背景技術】
【０００２】
病院・施設用又は在宅における介護用等の電動式ベッドでは、患者等の起立時の負担軽減、座位保持時の安定性向上、そして転落事故発生時の重症度軽減を目的として、調節可能な床の最低高さを低くすること、いわゆる低床化が進んでいる。
【０００３】
一方、電動式ベッドでは、床上の患者等の姿勢を医師の指示に対応するために床を調節することがあり、その例としては、ファーラー位（半座位）やカーディアックポジション、床の展伸（トレンデレンバーグ）、逆展伸（リバーストレンデレンバーグ）等が挙げられる。
【０００４】
このような展伸、逆展伸の調整は病院用のベッドでは要請され、特許文献１では、ベルクランクタイプのハイロー機構で展伸、逆展伸を可能にしている。
【０００５】
この場合、台車と上部フレーム（メインフレーム）との間にベルクランク機構を設けて当該機構によって上部フレームを傾けるが、ベルクランクは昇降の範囲がクランクの長さに依存し、かつ、昇降時に上部フレームの位置が台車に対して前後する特徴がある。
【０００６】
在宅介護用ベッドでは、部屋の制約があるので、上記の病院用のベルクランク機構を採用するのには難しい面がある。
【０００７】
したがって、他の昇降装置として、上下動する昇降機構をベッド装置のメインフレームの頭側と足側の下方に設けて、当該メインフレームを傾ける機構を採用することが考えられた。
【０００８】
しかしながら、上下動する昇降機構を採用した場合に、展伸、逆展伸状態に制御するため上部フレームを傾けたときに、昇降機構との位置関係が変化して左右へのガタつき及び前後へのガタつき（揺れ等）を簡単な構成で防止する技術が要請されるが従来、未提案であった。
【先行技術文献】
【特許文献】
【０００９】
【特許文献１】特開平１１−２９９８３７号
【発明の概要】
【発明が解決しようとする課題】
【００１０】
本発明は、斯かる実情に鑑み、ベッド装置の上部フレームを傾ける際の左右及び前後へのガタつきを簡単な構成で防止してスムーズに上部フレームを傾動させることができるベッド装置を提供するものである。
【課題を解決するための手段】
【００１１】
本発明は、ボトムを支える上部フレームが設けられベッド装置において、
前記上部フレームの下方には、頭側及び足側それぞれに昇降機構が設けられ、
前記頭側及び足側それぞれの昇降機構同士が連結され、
頭側及び足側のうちの第１の昇降機構が前記上部フレームにヒンジ結合され、
頭側及び足側のうちの第２の昇降機構の昇降動を前記上部フレームに伝える伝達部材と、昇降時に昇降機構に対しての前記上部フレームの左右動を規制しかつ前後動を所定に誘導するガイド機構とを設けたことを特徴とするベッド装置。
【００１２】
本発明において、ガイド機構は、ガイド部材と転接部材を有しており、
前記ガイド部材は、前記上部フレームに幅方向に対で設けられ、開口方向が前記上部フレームの幅方向に沿いかつ互に反対方向に開口する凹所が形成された弧状を呈したものであり、
前記転接部材は、第１のローラ及び該ローラを軸支する第１の固定アームからなり、前記ガイド部材の凹所内に前記第１のローラを位置させ、第１の固定アームが第２の昇降機構の上部に固定されたものであることが好適である。
【００１３】
本発明において、前記伝達部材は、第２のローラ及び該第２のローラを軸支する第２の固定アームを有して、第２の固定アームが第２の昇降機構に固定され、前記第２のローラが上部フレーム側に固定された被押圧部に転接しており、
第２の昇降機構の昇降によって、前記伝達部材の第２のローラが被押圧部を介して上部フレームを昇降作動させることが好適である。
【発明の効果】
【００１４】
本発明のベッド装置によれば、頭側及び足側のうちの第２の昇降機構の昇降動を伝える伝達部材と、昇降時に昇降機構に対しての前記上部フレームの左右動を規制しかつ前後動を所定に誘導するガイド機構とを設けたので、第２の昇降機構によって上部フレームが昇降した際に、ガイド機構によって上部フレームの左右動を規制するので上部フレームが傾くときの左右へのガタつきを防止でき、かつ、前後動の所定に誘導するので前後へのガタつき（揺れ）も防止できる。したがって、ガイド機構という簡単な構成によって左右及び前後へのガタつきを防止できることから、スムーズに上部フレームを傾動させることができる。
【図面の簡単な説明】
【００１５】
【図１】は本発明の実施形態に係るボトムが載置されるベッド装置の概略斜視図である。
【図２】前記ベッド装置の作動機構を説明するフレームの平面図である。
【図３】前記ベッド装置の第１の昇降機構と第２の昇降機構と上部フレームとの概略を示す側面視した説明図である。
【図４】前記ベッド装置のガイド機構の説明図で、（ａ）が斜視図、（ｂ）が平面視図ある。
【図５】前記ベッド装置の伝達部材の斜視説明図である。
【発明を実施するための形態】
【００１６】
以下、本発明の実施形態について、添付図面を参照して説明する。
【００１７】
図１は本発明の実施形態に係るボトムが載置されるベッド装置の概略斜視図、図２は前記ベッド装置の作動機構を説明するフレームの平面図、図３は前記ベッド装置の第１の昇降機構と第２の昇降機構と上部フレームとの概略を示す側面視した説明図である。
【００１８】
図１に示すように、ベッド装置において、それに寝た状態の使用者の頭が向く頭側を符号「Ｈ」、該使用者の足が向く足側を符号「Ｆ」で示す。
【００１９】
図１に示すように、ベッド装置は、主に、頭側及び足側に端部が向く長さ方向が幅方向よりも長い概略ラダー状構造の上部フレーム１０と、該上部フレーム１０上に載置されるボトム１２と、この上部フレーム１０の頭側及び足側の下部にそれぞれ設けられた、フロア面上に対して前記上部フレーム１０を昇降可能に支持する頭側昇降部（第１の昇降機構の例）１４Ｈ及び足側昇降部（第２の昇降機構の例）１４Ｆとを備えている。
【００２０】
上部フレーム１０の頭側及び足側の各部の下面側には、前記頭側昇降部１４Ｈ及び足側昇降部１４Ｆの上端部に当該上部フレーム１０を設置するための、前記ベッド装置の幅方向に長い概略矩形枠状の枠フレーム１６がそれぞれ固定されている。
【００２１】
図２に示すように、前記頭側昇降部１４Ｈ及び足側昇降部１４Ｆの下端同士は、連結フレーム２０によって着脱可能に連結される。前記頭側昇降部１４Ｈ及び足側昇降部１４Ｆはそれぞれユニットとして分けることができ、ベッド装置を組立てる際は、所定間隔に前記頭側昇降部１４Ｈ及び足側昇降部１４Ｆを対向して設置して前記連結フレーム２０で互いの下部同士を繋ぎ、その互いの上端に上部フレーム１０を設置して結合する。この結合は後述するヒンジ２２と、伝達部材２４と、ガイド機構２６によって行う。
【００２２】
前記頭側昇降部１４Ｈ及び足側昇降部１４Ｆには、それぞれアクチュエータ１４Ｈ１及び１４Ｆ１で駆動されて上部が昇降作動する機構が設けられて、各アクチュエータ１４Ｈ１及び１４Ｆ１の駆動力が別々に制御される構成である。
【００２３】
図３に概略を示すように、各アクチュエータ１４Ｈ１及び１４Ｆ１の駆動制御によって上部フレーム１０が頭側及び足側同士の上下位置に差が付く傾動動作をさせることができる。
【００２４】
なお、図１に示すように、ボトム１２は、マットレス（概略を図１に符号「１８」で示す）を載せた状態で、使用者の荷重を支えるものである。ボトム１２は、使用者が頭と背を支える背ボトム１２ａ、腰を支える腰ボトム１２ｂ、腰から膝までを支える膝ボトム１２ｃ、膝から先の足を支える足ボトム１２ｄの各板状部からなり、詳細は図示しないがボトム１２の背ボトム１２ａが背上げ作動や膝ボトム１２ｃの膝上げ作動等の各種足上げ作動が可能に構成されている。
【００２５】
ここで、図２、図３に示すように、頭側及び足側のうちの頭側昇降部１４Ｈは、該上部フレーム１０にヒンジ２２によって結合されている。このヒンジ２２は、頭側昇降部１４Ｈの足側方向の上端に軸受け部材が設けられこの軸受け部材に上部フレーム１０がヒンジピン等でピン結合される構造である。
【００２６】
頭側及び足側のうちの足側昇降部１４Ｆの昇降動を上部フレーム１０に伝える伝達部材２４と、昇降時に足側昇降部１４Ｆに対しての上部フレーム１０の左右動を規制しかつ前後動を所定に誘導するガイド機構２６とを設けている。図２に示すように、足側昇降部１４Ｆの上部構造部材１４Ｆ２は平面視矩形であって、該上部構造部材１４Ｆ２の頭側にガイド機構２６が設けられ、足側に伝達部材２４が設けられている。
【００２７】
詳しくは、前記ガイド機構２６は、図４に示すように、ガイド部材２８と転接部材３０を有している。
【００２８】
前記ガイド部材２８は、上部フレーム１０に幅方向両側に対で設けられ、開口方向が上部フレーム１０の幅方向に沿い外側でかつ互に反対方向に開口する凹所２８ａが形成された弧状を呈したレール状部材である。ガイド部材２８は上方から見ると、断面コ字状を呈し、上端部２８ｂが前記上部フレーム１０の内側面に溶接固定されて、その固定された上端部２８ｂから下方に凹所のあるレール状部材２８ｃが弧を描いて延びる構造である。前記上端部２８ｂは、前記レール状部材２８ｃを凹所２８ａの内面が前記上部フレーム１０から間隔をとるように延設して溶接されている。
【００２９】
前記転接部材３０は、第１のローラ３０ａ及び該ローラ３０ａを軸支する第１の固定アーム３０ｂからなり、前記ガイド部材２８の凹所２８ａ内に前記第１のローラ３０ａを位置させ、第１の固定アーム３０ｂが足側昇降部１４Ｆの上部構造部材１４Ｆ２の頭側端に固定されたものである。
【００３０】
上記のように構成されたので、ガイド機構２６は第１のローラ３０ａがレール状部材２８ｃの凹所２８ａ内面に当たる。詳しくは、図４（ｂ）に示すように、第１のローラ３０ａは、頭側面２８ａｈ、足側面２８ａｆ、さらには側面２８ａｓに当たる。なお、図２に示すように、ガイド機構２６は上部フレーム１０の幅方向左・右に一対が設けられている。
【００３１】
上記のガイド機構２６によれば、頭側昇降部１４Ｈ及び足側昇降部１４Ｆ同士の上方位置に差を生じさせて上部フレーム１０が傾くときに、左・右のガイド機構２６において、第１のローラ３０ａが、前記レール状部材２８ｃの側面２８ａｓに当たって、上部フレーム１０の左右動を規制するので上部フレーム１０が傾くときの左右へのガタつきを防止できる。それと共に同時に、前記第１のローラ３０ａが前記レール状部材２８ｃの頭側面２８ａｈ、足側面２８ａｆに当たり上部フレーム１０の前後動を所定に誘導するので前後へのガタつき（揺れ）も防止できる。
したがって、ガイド機構２６が上部フレーム１０に対して幅方向（左右方向）及び頭側及び足側方向（前後方向）にガタを生じさせることなくスムーズに足側昇降部１４Ｆに追従して昇降できることから、ガタなくスムーズに上部フレームを傾動動作させることができる。
【００３２】
また、図５に示すように、前記伝達部材２４は、第２のローラ３２ａ及び該第２のローラ３２ａを軸支する第２の固定アーム３２ｂを有して、第２の固定アーム３２ｂが足側昇降部１４Ｆの上部構造部材１４Ｆ２の足側端に固定されており、前記第２のローラ３２ａが上部フレーム１０側に固定された被押圧部３４に転接している。
【００３３】
第２の固定アーム３２ｂは上部構造部材１４Ｆ２の足側端から上方に延在する板状体であって、その第２の固定アーム３２ｂの上端部に前記第２のローラ３２ａが該回動自在に軸支されている。また、被押圧部３４は板材が上部フレーム１０の内側面に溶接固定されたものであり、該被押圧部３４の下面に前記第２のローラ３２ａが転動自在に接触している。
【００３４】
したがって、上記構成の伝達部材２４によれば、足側昇降部１４Ｆの昇降によって、前記伝達部材２４の第２のローラ３２ａが被押圧部３４を介して前記上部フレーム１０を確実に昇降作動できるようにしている。なお、被押圧部３４には、第２のローラ３２ａの下方を通るようにピン部材３４ａが着脱可能に装着されている。仮に、上部フレーム１０が不用意に持ち上げられた場合に、ピン部材３４ａによって第２のローラ３２ａが被押圧部３４に対して下方に抜けずに位置規制されるため、上部フレーム１０に対して、足側昇降部１４Ｆの上部構造部材１４Ｆ２が外れることがなく、ベッド装置の昇降に不具合が生じることが防止できる。
【００３５】
以上のように、実施形態のベッド装置では、足側昇降部１４Ｆの昇降動を伝える伝達部材２４と、昇降時に足側昇降部１４Ｆに対しての上部フレーム１０の左右動を規制しかつ前後動を所定に誘導するガイド機構２６とを設けたので、足側昇降部１４Ｆの昇降した際に上部フレーム１０の左右動及び前後動を規制して、ベッド装置の上部フレーム１０を傾ける際の左右及び前後へのガタつきを簡単な構成で防止してスムーズに上部フレーム１０を傾動させることができる。
【００３６】
前記実施形態の構成に限定されず本発明の範囲内で種々に変形実施できる。
【００３７】
前記実施形態では、頭側昇降部を第１の昇降機構とし、足側昇降部を第２の昇降機構としていたが、本発明の第１の昇降機構、第２の昇降機構はそれらに限定されず、頭側、足側を逆としてもよい。
【００３８】
また、ガイド機構を図４に示す構造、伝達部材を図５に示す構造としていたが、本発明のガイド機構はこれに限定されない。各部に第１のローラ３０ａ、第２のローラ３２ａを用いていたが転接部材以外に摺接部材を用いる等の種々に変形実施できる。
【産業上の利用可能性】
【００３９】
本発明のベッド装置は、在宅介護用ベッド装置、施設介護用ベッド装置、病院用ベッド装置等各種ベッド装置に利用することができる。
【符号の説明】
【００４０】
１０  上部フレーム
１２  ボトム
２２  ヒンジ
２４  伝達部材
２６  ガイド機構
２８  ガイド部材
３０  転接部材
３４  被押圧部
【図１】
2014204896.tif 000003
【図２】
2014204896.tif 000004
【図３】
2014204896.tif 000005
【図４】
2014204896.tif 000006
【図５】
2014204896.tif 000007